(57)【要約】少なくとも一実施形態において、ステントは複数の蛇行バンドと複数のコネクタストラットとを備える。各コネクタストラットは、一端において蛇行バンドの屈曲部に接続されており、他端において別の蛇行バンドの屈曲部に接続されている。蛇行バンドの屈曲部は、コネクタストラットに接続した接続屈曲部と、コネクタストラットに接続されていない非接続屈曲部とを備える。少なくとも一つの蛇行バンドは、該蛇行バンドを横断するときに、接続屈曲部間に延びる三つのバンドストラットと、次いで五つのバンドストラットとからなる反復パターンを備える。少なくとも一つの蛇行バンドは、該蛇行バンドを横断するときに、接続屈曲部間に延びる三つのバンドストラットと、一つのバンドストラットとの反復パターンを含む。
2010534088.tif 000002
【特許請求の範囲】
【請求項１】
複数の蛇行バンドと複数のコネクタ列とを備えるステントであって、各蛇行バンドは交交互に配置された複数の直線状のバンドストラットおよび屈曲部を備え、隣接する蛇行バンドは、コネクタ列を越えて、複数のコネクタストラットによって接続されており、各コネクタストラットは、一端において一方の蛇行バンドの屈曲部に接続されており、他端において他方の蛇行バンドの屈曲部に接続されており、蛇行バンドの前記屈曲部は、コネクタストラットに接続された接続屈曲部と、コネクタストラットに接続されていない非接続屈曲部とを備え、
少なくとも一つの蛇行バンドは、該蛇行バンドを横断するときに、接続屈曲部間に延びる三つのバンドストラットと、次いで五つのバンドストラットとからなる反復パターンを含み、かつ、
少なくとも一つの蛇行バンドは、該蛇行バンドを横断するときに、接続屈曲部間に延びる三つのバンドストラットと、次いで一つのバンドストラットとからなる反復パターンを備える、ステント。
【請求項２】
一つの蛇行バンドは、該蛇行バンドを横断するときに、接続屈曲部間に延びる四つのバンドストラットと、次いで三つのバンドストラットと、次いで一つのバンドストラットとからなる反復パターンを備える、請求項１に記載のステント。
【請求項３】
前記複数の蛇行バンドは、接続屈曲部間に延びる三つのバンドストラットと、次いで五つのバンドストラットとからなる反復パターンを備える、請求項１に記載のステント。
【請求項４】
前記複数の蛇行バンドは、接続屈曲部間に延びる三つのバンドストラットと、次いで一つのバンドストラットとからなる反復パターンを備える、請求項１に記載のステント。
【請求項５】
第１長さ部分および第２長さ部分を備え、前記第１長さ部分に位置するコネクタ列は、前記第２長さ部分に位置するコネクタ列よりも多くのコネクタストラットを備える、請求項１に記載のステント。
【請求項６】
前記第１長さ部分に位置する各コネクタ列は、前記第２長さ部分に位置する各コネクタ列よりも多くのコネクタストラットを備える、請求項５に記載のステント。
【請求項７】
前記第１長さ部分は少なくとも二つのコネクタ列を備える、請求項６に記載のステント。
【請求項８】
前記コネクタ列は第１コネクタ列および第２コネクタ列を備え、前記第１コネクタ列のコネクタストラットは互いに平行であり、前記第２コネクタ列のコネクタストラットは前記第１コネクタ列の前記コネクタストラットに対して非平行である、請求項１に記載のステント。
【請求項９】
第１コネクタ列および第２コネクタ列は、前記ステントの長さに沿って交互に位置する、請求項８に記載のステント。
【請求項１０】
各蛇行バンドの前記屈曲部は交互に位置する基端側の山と先端側の谷を備え、一つの蛇行バンドの前記基端側の山は、ステントの軸線方向において、隣接する蛇行バンドの前記先端側の谷と整合されている、請求項１に記載のステント。
【請求項１１】
複数の蛇行バンドと複数のコネクタ列とを備えるステントであって、各蛇行バンドは複数の交互に位置する直線バンドストラットと屈曲部とを備え、隣接する蛇行バンドは、コネクタ列を越えて、複数のコネクタストラットによって接続されており、各コネクタストラットは、一端において一方の蛇行バンドの屈曲部に接続されており、他端において他方の蛇行バンドの屈曲部に接続されており、蛇行バンドの屈曲部は、コネクタストラットに接続した接続屈曲部と、コネクタストラットに接続していない非接続屈曲部とを備え、
少なくとも一つの蛇行バンドは、該蛇行バンドを横断するときに、接続屈曲部間に延びる三つのバンドストラットからなる反復パターンを備え、かつ、
少なくとも一つの蛇行バンドは、該蛇行バンドを横断するときに、接続屈曲部間に延びる三つのバンドストラットと、次いで一つのバンドストラットとからなる反復パターンを備える、ステント。
【請求項１２】
一つの蛇行バンドは、該蛇行バンドを横断するときに、接続屈曲部間に延びる三つのバンドストラットと、一つのバンドストラットと、四つのバンドストラットと、一つのバンドストラットと、次いで三つのバンドストラットとからなる反復パターンを備える、請求項１１に記載のステント。
【請求項１３】
前記複数の蛇行バンドは、接続屈曲部間に延びる三つのバンドストラットの反復パターンを備える、請求項１１に記載のステント。
【請求項１４】
前記複数の蛇行バンドは、接続屈曲部間に延びる三つのバンドストラットと、次いで一つのバンドストラットとからなる反復パターンを備える、請求項１１に記載のステント。
【請求項１５】
第１長さ部分および第２長さ部分を備え、前記第１長さ部分に位置するコネクタ列は、前記第２長さ部分に位置するコネクタ列よりも多くのコネクタストラットを備える、請求項１１に記載のステント。
【請求項１６】
前記第１長さ部分に位置する各コネクタ列は、前記第２長さ部分に位置する各コネクタ列よりも多くのコネクタストラットを備える、請求項１５に記載のステント。
【請求項１７】
前記第１長さ部分は少なくとも二つのコネクタ列を備える、請求項１６に記載のステント。
【請求項１８】
前記コネクタ列は第１コネクタ列および第２コネクタ列を備え、前記第１コネクタ列のコネクタストラットは互いに平行であり、前記第２コネクタ列のコネクタストラットは前記第１コネクタ列の前記コネクタストラットに対して非平行である、請求項１１に記載のステント。
【請求項１９】
第１コネクタ列および第２コネクタ列は前記ステントの長さに沿って交互に位置する、請求項１８に記載のステント。
【請求項２０】
各蛇行バンドの前記屈曲部は、交互に位置する基端側の山と先端側の谷とを備え、一つの蛇行バンドの前記基端側の山は、ステントの軸線方向において、隣接する蛇行バンドの前記先端側の谷と整合している、請求項１１に記載のステント。
【発明の詳細な説明】
【技術分野】
【０００１】
本発明は埋め込み型医療装置、該装置の製造、および使用法に関する。
【背景技術】
【０００２】
ステントは体内管腔に導入される医療装置であり、この分野においてよく知られている。典型的には、ステントは、狭窄または動脈瘤の部位で血管内に、内管腔的に、すなわち、所謂「最小侵襲性技術」によって、埋め込まれる。「最小侵襲性技術」において、半径方向に縮小された形態にあり、随意でシースおよびカテーテルの少なくとも一つによって半径方向に圧縮された形態に拘束されたステントは、ステント搬送システムまたは「イントロデューサ」によって、該ステントが必要とされる部位に搬送される。イントロデューサは、患者の皮膚を介して、あるいは進入血管が軽度の外科的手段によって露出させられる「静脈切開」術などによって、身体外部のアクセス位置から身体内に進入する。
【０００３】
以下においては一括してステントと称するステント、グラフト、ステント−グラフト、大静脈フィルタ、拡張可能な骨組および同様の埋め込み型医療装置は、半径方向に拡張可能な内部人工器官である。前記内部人工器官は、典型的には、経管的に埋め込むことができ、経皮的に導入された後に半径方向に拡張される脈管内インプラントである。ステントは、脈管系、尿管、胆管、卵管、冠状血管、二次管などのような様々な体内管腔または体内管に埋め込まれる。ステントは、体内管を補強するため、および脈管系における血管形成術の後に生じる再狭窄を防止するために用いられる。ステントは、自己拡張型であってもよいし、バルーンに取り付けられた時のように内部の半径方向の力によって拡張されてもよいし、または自己拡張型とバルーン拡張型との組み合わせ（ハイブリッド拡張型）であってもよい。
【０００４】
ステントは、管状材料から、切断またはエッチングした後に丸められる平坦なシートから、または１本以上の織り込まれたワイヤーまたは編組から、図案を切断またはエッチングすることを含む方法によって生成される。
【０００５】
上記で参照および記載した少なくとも一つの技術は、本願に引用した任意の特許、公開公報または他の情報が本発明に関して「先行技術」であると認めるものではない。さらに、この節は、米国特許法施行規則第１条５６項ａに定義されているように、調査がなされていること、または他の関連情報が存在しないことを意味すると解釈されるべきでない。
【０００６】
本出願のあらゆる箇所で言及するすべての米国特許および出願、並びに他のすべての公開文書は、参照によりそれらの全容が本願に援用される。
本発明の範囲を限定することなく、本発明の権利請求された実施形態のうちのいくつかの概要を以下に述べる。本発明の要約した実施形態の付加的な詳細、および本発明の付加的な実施形態は、以下の発明の詳細な説明に見られる。
【０００７】
明細書における技術的な開示の簡潔な要約書は、同様に、米国特許法施行規則第１条７２項に準拠することを目的としてのみ提供される。要約書は、特許請求の範囲の解釈のために用いられるものではない。
【発明の概要】
【課題を解決するための手段】
【０００８】
少なくとも一実施形態において、ステントは複数の蛇行バンドと複数のコネクタ列とを備える。各蛇行バンドは複数の交互に位置する直線バンドストラットと屈曲部とを備える。隣接する蛇行バンド同士は、コネクタ列を越えて、複数のコネクタストラットによって接続されている。各コネクタストラットは、一端において一つの蛇行バンドの屈曲部に接続されており、他端において別の蛇行バンドの屈曲部に接続されている。蛇行バンドの屈曲部は、コネクタストラットに接続する接続屈曲部と、コネクタストラットに接続しない非接続屈曲部とを備える。少なくとも一つの蛇行バンドは、該蛇行バンドを横断するときに、接続屈曲部間に延びる三つのバンドストラットと、次いで五つのバンドストラットとの反復パターンを含む。少なくとも一つの蛇行バンドは、該蛇行バンドを横断するときに、接続屈曲部間に延びる三つのバンドストラットと一つのバンドストラットとの反復パターンを含む。
【０００９】
少なくとも一実施形態において、ステントは複数の蛇行バンドと複数のコネクタ列とを備える。各蛇行バンドは複数の交互に位置する直線バンドストラットと屈曲部とを備える。隣接する蛇行バンドは、コネクタ列を越えて、複数のコネクタストラットによって接続されている。各コネクタストラットは、一端において一つの蛇行バンドの屈曲部に接続されており、他端において別の蛇行バンドの屈曲部に接続されている。蛇行バンドの屈曲部は、コネクタストラットに接続する接続屈曲部と、コネクタストラットに接続しない非接続屈曲部とを備える。少なくとも一つの蛇行バンドは、該蛇行バンドを横断するときに、接続屈曲部間に延びる三つのバンドストラットの反復パターンを含む。少なくとも一つの蛇行バンドは、該蛇行バンドを横断するときに、接続屈曲部間に延びる三つのバンドストラットと、次いで一つのバンドストラットとの反復パターンを含む。
【００１０】
本発明を特徴付けるこれらおよび他の実施形態は、本願に添付され、本願の一部をなす特許請求の範囲における詳細事項によって示される。しかしながら、本発明およびその使用によって得られる効果および目的についての理解をさらに深めるために、本願のさらなる部分をなす図面、および付随する記載事項を参照すべきである。前記図面および記載事項には本発明のさらなる実施形態が例示され、記載されている。
【００１１】
本発明の詳細な説明は、以下において図面に付されている特定の参照番号によって記載されている。
【図面の簡単な説明】
【００１２】
【図１】非拡張ステント形態の実施形態を示す平面図。
【図２】管状の拡張していないステントにおける図１のパターンを示す図。
【図３】図１に示した実施形態の拡張したステントを示す図。
【図４】代替の拡張していないステントの実施形態を示す平面図。
【図５】ステントの別の実施形態のための平面パターンを示す図。
【図６】ステントの実施形態の三次元等角図。
【図７】図５に示したものよりも大きな拡張状態にある、図５のパターンに類似したステントパターンの平面パターン描写を示す図。
【図８】図７に示したものよりも大きな拡張状態にある、図７のパターンに類似したステントパターンの平面パターン描写を示す図。
【図９】図８に示したものよりも大きな拡張状態にある、図８のパターンに類似したステントパターンの平面パターン描写を示す図。
【図１０】図９に示したものよりも大きな拡張状態にある、図９のパターンに類似したステントパターンの平面パターン描写を示す図。示した拡張状態は、過拡張状態であると考えられる。
【図１１】ステントの別の実施形態のための平面パターンを示す図。
【図１２】ステントの別の実施形態のための平面パターンを示す図。
【図１３】ステントの別の実施形態のための平面パターンを示す図。
【図１４】ステントの別の実施形態のための平面パターンを示す図。
【発明を実施するための形態】
【００１３】
本発明は様々な形態で具体化されるが、本願では本発明の特定の実施形態について詳細に記載する。この記載は、本発明の原理の例示であり、本発明を示した特定の実施形態に限定するものではない。
【００１４】
米国特許出願代理人整理番号第Ｓ６３−１３０８９−ＵＳ０１号の全開示は、これにより、参照によって本願に援用される。
米国特許出願番号第１１／６０４６１３号明細書、同第６０／８５９４６０号明細書および同第６０／８４４０１１号明細書の全開示は、これにより、参照によって本願に援用される。
【００１５】
この開示の目的のために、図中の同一参照数字は、別段の指示がない限り、同一の特徴を指すものとする。
図面を見ると、図１および図２は、それぞれ、非拡張ステント形態および実際の管状ステント（非拡張）の部分平面図を表している。すなわち、ステントは、明確にするために図１において平面に示されており、縁１２，１４を相互に合わせるようにパターンを丸めることにより、管状形に形成された平面パターン１０（図１）から製造される。前記縁は次いで、溶接などによって接合されて、図２に示すような形態を提供する。
【００１６】
これらの図面では、前記形態は、概して参照符号１６で示される複数の隣接したセグメントから構成されていることが分かる。隣接したセグメントの各々は、ほぼ平行なストラット１８の波状の可撓性パターンに形成されている。ストラットの対は、交互に位置する端部１９ａ，１９ｂで相互に接続されている。図１において見られるように、一つのセグメントの相互接続端部１９ｂは、隣接するセグメントの相互接続端部１９ａに対向して配置されている。図示したような端部は概ね楕円形であるが、円形または四角形または尖頭状などであってもよい。図示したようにそれが波状パターンを提供する限り、いかなる端部の形態も許容可能である。平坦フォーム１０が図２に示したように拡張されていない管に形成されると、前記セグメントは円筒状になるが、隣接するセグメントの端部１９は互いに関して対向位置を保つ。
【００１７】
相互接続要素２０は、一つのセグメント１６の一つの端部１９から、隣接するセグメント１６の対向位置の端部１９ではなく、別の隣接するセグメント１６の別の端部１９に延びている。これは、管状ステントの周囲のまわりのセグメント間において角度方向に延びる相互接続要素２０を生じる。
【００１８】
いくつかの実施形態において、セグメント１６の各側上において、相互接続要素２０が端部１９と接触する地点同士の間には、少なくとも三つのストラットが含まれる。
相互接続要素２０は、好ましくは同一の長さのものであるが、セグメントによって変化してもよい。また、任意のセグメントの対の間の接続要素はすべてほぼ平行であるが、斜め方向は、セグメントによって逆であってもよく、ある場合には上方に延び、別の場合には下方に延びている。例えば図１は、左から右に下方に延びる接続要素を示している。この形態では、左から右に上方に延在するであろう。
【００１９】
隣接するセグメントおよびループの間における相互接続要素２０のこの角度をなした延在の結果として、図３で見られるように、ステントが拡張すると、セグメント１６間で最も接近して隣接する端部１９は、互いにずれて、セグメント間における拘束、または重なり合い、すなわちピンチングの可能性を最小限にするように、もはや互いに対向しない。
【００２０】
相互接続要素２０の数は、特定の場合において、状況によって変化する。いくつかの実施形態では、単一の相互接続要素２０が、二つの隣接する蛇行バンド１６の間をつなぐ。いくつかの実施形態では、少なくとも二つの相互接続要素２０が、二つの隣接する蛇行バンド１６の間をつなぐ。図１に示すように、いくつかの実施形態では、三つの相互接続要素２０を用いることができる。
【００２１】
図４に示す設計代案は、二つの端セグメント１６ａにおいて、中間セグメント１６におけるよりも長いストラット１８ａを備える。これは、前記端セグメント（１６ａ）が、中間セグメント（１６）より少ない圧縮抵抗を有することを可能にし、生来の脈管からステントの支持構造へのより緩やかな移行を提供する。他の点では、該形態は図１に示したものと同様である。
【００２２】
いくつかの実施形態においては、セグメント１６は蛇行バンドとも称される。相互接続要素２０はコネクタストラットとも称される。端部１９は屈曲部とも称される。端部１９ａは基端側の山とも称される。端部１９ｂは先端側の谷とも称される。
【００２３】
図５は、基端１３、先端１５、および複数の蛇行バンド１６を有するステント１０の別の実施形態の平面パターンを示している。各蛇行バンド１６は、複数のバンドストラット２２と、複数の屈曲部２８とを備える。バンドストラット２２と屈曲部２８とは、蛇行バンド１６を横断するとき、交互に位置している。したがって、各バンドストラット２２は一つの屈曲部２８に接続された第１端２１と、別の屈曲部２８に接続された第２端２３とを有する。各屈曲部２８は、ステントの周方向において隣り合う二つのバンドストラット２２の間を接続している。
【００２４】
いくつかの実施形態において、バンドストラット２２は、図５に示すように、その長さに沿って直線である。他のいくつかの実施形態においては、バンドストラット２２は、一つ以上の方向の湾曲を有する。蛇行バンド１６は、互いに異なる形状のバンドストラット２２をさらに備えることができる。バンドストラット２２の可能な形態の他の例は、米国特許出願公開第２００２／００９５２０８号明細書および米国特許出願番号第１１／２６２６９２号明細書に開示されている。上記特許文献の全ての内容は、これにより、参照によって余すところなく本願に援用される。
【００２５】
蛇行バンド１６の屈曲部２８は、交互に位置する基端側の山２４および先端側の谷２６を備える。各基端側の山２４は、基端１３に関しては概して凸状であり、ステント１０の先端１５に関しては凹状である。各先端側の谷２６は、先端１５に関して概して凸状であり、ステント１０の基端１３に関して凹状である。各屈曲部２８は、内側面４１および外側面４３をさらに備える。基端側の山２４は、ステント１０の基端１３に対して内側面４１よりも近い外側面４３を有して配向される。先端側の谷２６は、ステント１０の先端１５に対して内側４１よりも近い外側面４３を有して配向される。
【００２６】
ステント１０は、任意の適当な数の蛇行バンド１６を有する。様々な実施形態において、蛇行バンド１６は、任意の適当な数のバンドストラット２２と、任意の適当な数の屈曲部２８とを有する。
【００２７】
蛇行バンド１６は、ステント１０の長さに沿った任意の適当な距離に及ぶ。いくつかの実施形態において、ステント１０は、異なる距離に及ぶ蛇行バンド１６を備えることができる。蛇行バンド１６の長さ方向の範囲を増大させる一つの方法は、バンドストラット２２の長さを増大することである。
【００２８】
いくつかの実施形態において、所与の蛇行バンド１６の基端側の山２４は、ステント１０の共通な周のまわりに整列されており、先端側の谷２６は、同様に、ステント１０の別の共通な周のまわりに整列されている。各周は、ステント１０の長手方向軸線１１に直交して配向される。屈曲部２８が周のまわりに整列される場合、各屈曲部２８の外側面４３の先端は、共通の基準周に当接する。他のいくつかの実施形態では、様々な山２４は、所与の蛇行バンド１６内の他の山２４から偏倚されていてもよく、様々な谷２６は、バンド１６内の他の谷２６から偏倚されていてもよい。
【００２９】
各バンドストラット２２は、ストラット２２の長さに直交する方向において測定される幅を有する。いくつかの実施形態において、所与の蛇行バンド１６内のストラット２２はすべて同一の幅を有する。いくつかの実施形態において、蛇行バンド１６内の様々なストラット２２の幅が互いに異なっていてもよい。いくつかの実施形態において、ストラット２２の幅はストラット２２の長さに沿って変化する。いくつかの実施形態において、一つの蛇行バンド１６のストラット２２の幅が、別の蛇行バンド１６のストラット２２の幅と異なっていてもよい。
【００３０】
各屈曲部２８は、屈曲部２８の側面に直交する（例えば、接線に直交する）方向において測定される幅を有する。一部の実施形態において、屈曲部２８の幅は、ステント１０の一つ以上のストラット２２の幅より大きくてもよい。一部の実施形態において、屈曲部２８の幅は、ステント１０の一つ以上のストラット２２の幅より小さくてもよい。一部の実施形態において、屈曲部２８の幅は、該屈曲部２８の一端から他端にかけて変化する。例えば、屈曲部２８は、ストラット２２と同じ幅を有する一端においてストラット３０に接続する。屈曲部２８の幅は増大し、一部の実施形態では、屈曲部２８の中点で最大値に達する。次いで、屈曲部２８の幅は、屈曲部２８の第２端に接続される別の湾曲ストラット２２の幅まで減少する。
【００３１】
ステント１０の長さに沿って隣り合う蛇行バンド１６は、少なくとも一つのコネクタストラット２０によって接続される。一部の実施形態では、コネクタストラット２０は隣接した蛇行バンド１６の屈曲部２８の間をつないでいる。例えば、コネクタストラット２０の第１端２５は一つの蛇行バンド１６の先端側の谷２６に接続し、コネクタストラット２０の第２端２７は、隣接した蛇行バンド１６の基端側の山２４に接続する。
【００３２】
コネクタストラット２０は蛇行バンド１６の任意の部分に接続することができる。いくつかの実施形態では、コネクタストラット２０は、図５に示すように、屈曲部２８に接続する。いくつかの実施形態では、コネクタストラット２０はバンドストラット２２に接続する。
【００３３】
一部の実施形態において、コネクタストラット２０はその長さに沿って線状または直線である。いくつかの実施形態では、コネクタストラット２０は、その長さに沿った湾曲を備えることができ、さらに複数の湾曲の部分、例えば変曲点で接続される凸部分および凹部分を備えることができる。
【００３４】
各コネクタストラット２０は、ストラット２０の長さに直交する方向において測定される幅を有する。いくつかの実施形態では、すべてのコネクタストラット２０は同一の幅を有する。他のいくつかの実施形態では、コネクタストラット２０は、別のコネクタストラット２０とは異なる幅を有する。いくつかの実施形態では、コネクタストラット２０の幅は該ストラット２０の長さに沿って変化する。
【００３５】
コネクタストラット１６に用いることができる形態のいくつかのさらなる例は、米国特許第６２６１３１９号明細書および同第６４７８８１６号明細書、および米国特許出願公開第２００４０２４３２１６号明細書に開示されている。上記特許文献の全開示は、これにより、参照によって本願に援用される。
【００３６】
いくつかの実施形態において、コネクタストラット２０は、第１型のコネクタストラット３６および第２型のコネクタストラット３８を備える。第１コネクタストラット３６は第１方向に延在する。第１コネクタストラット３６は、ステントの長さ方向の軸線１１に対して第１角度をなして配向される。第２コネクタストラット３８は、第１方向とは異なるか、または第１方向に非平行である第２方向に延在する。第２コネクタストラット３８は、ステントの長さ方向の軸線１１に対して第２角度をなして配向される。一部の実施形態において、第１角度および第２角度は、同じ大きさであるが、異なる向きを有する。例えば、第１コネクタストラット３６は、ステントの長さ方向の軸線１１と７０°の角度を形成し、一方、第２コネクタストラット３８は、ステントの長さ方向の軸線１１と−７０°の角度を形成する。一部の実施形態において、第１角度は、ステントの長さ方向の軸線１１に平行な線を横切る第２角度の鏡像からなる。いくつかの実施形態では、第１型のコネクタストラット３６は、第２型のコネクタストラット３８とは異なる形状を有する。
【００３７】
いくつかの実施形態において、二つの隣接した蛇行バンド１６間に位置するステント１０の領域は、コネクタ列４４と考えられる。各コネクタ列４４は複数のコネクタストラット２０を含む。いくつかの実施形態において、あるコネクタ列４４内の各コネクタストラット２０は互いに類似する。例えば、第１コネクタ列４４ａ内のコネクタストラット２０は第１型のコネクタストラット３６を備える。第２コネクタ列４４ｂ内のコネクタストラット２０は第２型のコネクタストラット３８を備える。
【００３８】
いくつかの実施形態において、第１コネクタ列４４ａおよび第２コネクタ列４４ｂはステント１０の長さに沿って交互に位置する。したがって、各内部蛇行バンド１６は、第１コネクタ列４４ａと第２コネクタ列４４ｂとの間に配置される。従って、蛇行バンド１６の一方の側に接続するコネクタストラット２０は、第１コネクタストラット３６を備え、蛇行バンド１６の他方の側に接続するコネクタストラット２０は第２コネクタストラット３８を備える。
【００３９】
屈曲部２８は、屈曲部２８がコネクタストラット２０に接続しているか否かによって、接続された屈曲部（以下、「接続屈曲部」と称する）５８または接続されていない屈曲部（以下、「非接続屈曲部」と称する）５５を備える。同様に、基端側の山２４は、接続された基端側の山６４または接続されていない基端側の山（以下、「非接続の基端側の山」と称する）７４を備え、先端側の谷２６は、接続された先端側の谷６６または接続されていない先端側の谷（以下、「非接続の先端側の谷」と称する）７６を備える。
【００４０】
蛇行バンド１６は、接続屈曲部５８よりも多くの非接続屈曲部５５を有する。いくつかの実施形態では、蛇行バンド１６は、各接続屈曲部５８に対して、三つの非接続屈曲部５５を有する。接続屈曲部５８対非接続屈曲部５５の３：１の比率はまた、基端側の山２４および先端側の谷２６にも適用することができる。
【００４１】
いくつかの実施形態では、蛇行バンド１６を横断するときに、一つの接続屈曲部５８と次の接続屈曲部５８との間には、ｘ個の非接続屈曲部５５の反復パターンが存在し、次いで、次の接続屈曲部５８までにｙ個の非接続屈曲部が存在する。ここで、ｙはｘよりも大きい。例えば、図５を参照すると、蛇行バンド１６ａを第１接続屈曲部５８ａから第２接続屈曲部５８ｂまで横断するときには、二つの非接続屈曲部５５が存在する。したがって、ｘは２に相当する。蛇行バンド１６ａを第２接続屈曲部５８ｂから第３接続屈曲部５８ｃまで横断するときには、四つの非接続屈曲部５５が存在する。したがって、ｙは４に相当する。次いで、前記パターンは、第３接続屈曲部５８ｃと第４接続屈曲部５８ｄとの間におけるｘ＝２の非接続屈曲部５５などによって、反復するであろう。いくつかの実施形態では、ｙはｘの倍数、例えばｙ＝２ｘである。
【００４２】
いくつかの実施形態において、接続屈曲部５８から出発すると、蛇行バンド１６は、第１方向において、接続屈曲部５８と次の接続屈曲部５８との間に三つのバンドストラット２２を備える。蛇行バンド１６はさらに、第２方向において、接続屈曲部５８と次の接続屈曲部５８との間に五つのバンドストラット２２を備える。例えば、図５を参照すると、蛇行バンド１６ａは、第１周方向７１において、接続屈曲部５８ｂと次の接続屈曲部５８ａとの間に三つのバンドストラット２２を備える。蛇行バンド１６ａはまた、第２周方向７３において、接続屈曲部５８ｂと次の接続屈曲部５８ｃとの間に五つのバンドストラット２２を備える。
【００４３】
いくつかの実施形態において、蛇行バンド１６を横断するとき、一つの接続屈曲部５８と次の接続屈曲部５８との間には、三つのバンドストラット２２の反復パターンが存在し、次いで、次の接続屈曲部５８までに五つのバンドストラット２２が存在する。例えば、図５を参照すると、蛇行バンド１６ａを第１接続屈曲部５８ａから第２接続屈曲部５８ｂまで横断するときには、三つのバンドストラット２２が存在する。蛇行バンド１６ａを第２接続屈曲部５８ｂから第３接続屈曲部５８ｃまで横断するときには、五つのバンドストラット２２が存在する。次いで、前記パターンは、第３接続屈曲部５８ｃと第４接続屈曲部５８ｄとの間における三つのバンドストラット２２などによって、反復するであろう。
【００４４】
いくつかの実施形態では、ステント１０の基端１３または先端１５に位置する端部蛇行バンド１６ｅは、二つの接続屈曲部５８の間に七つの非接続屈曲部５５を備える。端部蛇行バンド１６ｅはさらに、二つの接続屈曲部５８の間に八つのバンドストラット２２を備える。
【００４５】
いくつかの実施形態において、隣接するコネクタ列４４のコネクタストラット２０は、ステント内で周方向において互いから偏倚している。例えば、一つのコネクタストラット２０ａは、隣接したコネクタ列４４に位置する別のコネクタストラット２０ｂから、ステントの周方向において偏倚している。したがって、いくつかの実施形態では、一つのコネクタストラット２０ａと交差する、ステントの長手方向軸線１１と平行に配向された基準線８は、他のコネクタストラット２０ｂと交差しないであろう。
【００４６】
蛇行バンド１６のバンドストラット２２は、交互に位置する第１バンドストラット２２ａと第２バンドストラット２２ｂとを備える。いくつかの実施形態では、図５の平面パターンに示すように、各第１バンドストラット２２ａは互いに平行である。各第２バンドストラット２２ｂは互いに平行であり、かつ第１バンドストラット２２ａに対して非平行である。
【００４７】
蛇行バンド１６は、第１型の蛇行バンド８５と、第２型の蛇行バンド８９とを備える。いくつかの実施形態において、各第１型の蛇行バンド８５は、各バンド８５の類似部分がステント１０の長さに沿って整列するように、互いに整合されている。各第２型の蛇行バンド８９は、各バンド８９の類似部分がステント１０の長さに沿って整列するように、互いに整合されている。各第１型の蛇行バンド８５は、異なる型のバンド８５，８９の類似部分が、ステントの長さに沿って整列しないように、各第２型の蛇行バンド８９から偏倚されている。
【００４８】
いくつかの実施形態において、第１型の蛇行バンド８５および第２型の蛇行バンド８９は、ステント１０の長さに沿って交互に位置する。したがって、ステント１０の長さに沿って隣り合って位置する蛇行バンド１６は、ステントの周方向において互いから偏倚される。他のすべての蛇行バンド１６はステントの周方向において互いに整合される。例えば、ステント１０は、その長さに沿って、第１蛇行バンド１６ａ、第２蛇行バンド１６ｂ、および第３蛇行バンド１６ｃを備える。第１および第３蛇行バンド１６ａ，１６ｃは、第１型の蛇行バンド８５を備え、第２蛇行バンド１６ｂは第２型の蛇行バンド８９を備える。第１蛇行バンド１６ａは、ステントの周方向において、第２蛇行バンド１６ｂから偏倚されている。したがって、ステントの長手方向軸線１１に平行に延びる基準線８は、第１蛇行バンド１６ａおよび第２蛇行バンド１６ｂの類似部分と交差しないであろう。図示したように、基準線８は、第１蛇行バンド１６ａの基端側の山２４を二分するが、第２蛇行バンド１６ｂの基端側の山２４を二分しない。第２蛇行バンド１６ｂは、同様に第３蛇行バンド１６ｃから偏倚されている。第１蛇行バンド１６ａおよび第３蛇行バンド１６ｃは、ステントの周方向において互いに整合されている。したがって、基準線８は、第１蛇行バンド１６ａおよび第３蛇行バンド１６ｃの双方の基端側の山２４を二分する。
【００４９】
所与の型８５，８９の一つの蛇行バンド１６は、ステント１０の長さに沿って同一の型８５，８９の別の蛇行バンド１６の非接続屈曲部５５と整合された接続屈曲部５８を有する。例えば、図５の第１蛇行バンド１６ａは、第３蛇行バンド１６ｃの非接続屈曲部５５ａと長手方向において整合された接続屈曲部５８ｃを備える。
【００５０】
所与の型８５，８９の一つの蛇行バンド１６は、同一の型８５，８９の次の隣接する蛇行バンド１６の接続屈曲部５８から、基端側の山一つ分または先端側の谷一つ分だけ、偏倚された接続屈曲部５８を有する。例えば、図５の第１蛇行バンド１６ａは、第３蛇行バンドの接続された基端側の山５８ｅから、基端側の山２４一つ分だけ偏倚された（６）接続された基端側の山５８ｃを備える。同様に、第１蛇行バンド１６ａは、第３蛇行バンド１６ｃの接続された先端側の谷５８ｆから先端側の谷２６一つ分だけ偏倚された（７）接続された先端側の谷５８ｄを備える。よって、いくつかの実施形態において、隣接する類似した型のコネクタ列４４ａのコネクタストラット２０は、隣接する基端側の山２４同士、または隣接する先端側の谷２６同士の間の間隔６，７と等しい量だけ、ステントの周方向において互いから偏倚されている。
【００５１】
図１および図５を参照すると、いくつかの実施形態において、ステントは、少なくとも第１蛇行バンド１０１、第２蛇行バンド１０２、第３蛇行バンド１０３および第４蛇行バンド１０４を備える。各蛇行バンド１０１〜１０４は、接続された基端側の山６４、非接続の基端側の山７４、接続された先端側の谷６６、および非接続の先端側の谷７６を備える。各蛇行バンド１０１〜１０４は、各接続された基端側の山６４に対して、少なくとも二つの非接続の基端側の山７４を備え、各接続された先端側の谷６６に対して、少なくとも二つの非接続の先端側の谷７６を備える。
【００５２】
第１コネクタストラット１２１は、第１蛇行バンド１０１上に位置する第１の接続された先端側の谷１３０と、第２蛇行バンド１０２の接続された基端側の山６４との間を接続する。第２コネクタストラット１２２は、第２蛇行バンド１０２と第３蛇行バンド１０３との間を接続する。第３コネクタストラット１２３は、第３蛇行バンド１０３上に位置する第２の接続された先端側の谷１３２と、第４蛇行バンド１０４の接続された基端側の山６４との間を接続する。
【００５３】
第１の接続された先端側の谷１３０は、第３蛇行バンド１０３の第１の非接続の先端側の谷１１６と周方向において整合されている。第１の非接続の先端側の谷１１６は、周方向において、第２の接続された先端側の谷１３２に直接隣接している。
【００５４】
第１蛇行バンド１０１の各接続された先端側の谷６６は、周方向において、第３蛇行バンド１０３の非接続の先端側の谷７６と整合されている。さらに、第１蛇行バンド１０１の接続された先端側の谷６６と周方向において整合された第３蛇行バンド１０３の各非接続の先端側の谷７６は、第３蛇行バンド１０３の接続された先端側の谷６６から、周方向において、先端側の谷一つ分（例えば図５に示すような間隔７）だけ偏倚されている。
【００５５】
第３コネクタストラット１２３はステントの長手方向軸線１１に対して０でない角度で配向されており、したがってステントの周方向に向いた周長成分ｌｃを有する。周長成分ｌｃは、第２の接続された先端側の谷１３２から周方向に第１の非接続の先端側の谷１１６に向かって延びている。したがって、いくつかの実施形態において、第３蛇行バンド１０３の接続された先端側の谷６６に接続するコネクタストラット２０は、ステントの長手方向軸線１１に対して角度をなして延びている。前記角度は、第１蛇行バンド１０１の接続された先端側の谷６６（例えば先端側の谷１３０）と周方向において整合された隣接する非接続の先端側の谷７６（例えば先端側の谷１１６）の方向に向いている。
【００５６】
第２蛇行バンド１０２は、第１コネクタストラット１２１と第２コネクタストラット１２２との間に三つのバンドストラット２２を備える。したがって、第１コネクタストラット１２１に接続する接続された先端側の谷６６と、第２コネクタストラット１２２に接続する接続された基端側の山６４との間には、三つのバンドストラット２２が位置する。
【００５７】
第２蛇行バンド１０２の各接続された先端側の谷６６は、周方向において、第４蛇行バンド１０４の非接続の先端側の谷７６と整合されている。さらに、第２蛇行バンド１０２の接続された先端側の谷６６と周方向において整合された第４蛇行バンド１０４の各非接続の先端側の谷７６は、第４蛇行バンド１０４の接続された先端側の谷６６から、周方向において、先端側の谷一つ分（例えば図５に示すような間隔７）だけ偏倚されている。
【００５８】
図６は、図５に示した平面パターンに従った三次元の略円筒状ステント１０を示す。ステント１０は拡張の基準状態で示されており、さらに縮径させて、例えばデリバリーカテーテル上に緊縮させたり、またはさらに拡張させたりすることができる。
【００５９】
図７は、図５より大きな拡張状態にあるステント１０の例を示す。
図８は、図７より大きな拡張状態にあるステント１０の例を示す。
図９は、図８より大きな拡張状態にあるステント１０の例を示す。
【００６０】
図１０は、図９より大きな拡張状態にあるステント１０の例を示す。図示した拡張の程度は、過拡張状態と称される。一般に、体内管において実際に用いられるステント１０は、図１０に示した程度より少ない拡張を受けるであろう。しかしながら、図示したステント１０のパターンは、実質的に過拡張状態においてさえ、脈管の支持を提供することができる。
【００６１】
図１１は、基端１３、先端１５、および複数の蛇行バンド１６を有するステント１０の別の実施形態の平面パターンを示している。隣接する蛇行バンド１６同士は、コネクタ列４４を越えて、複数のコネクタストラット２０によって接続されている。
【００６２】
蛇行バンド１６の屈曲部２８は、交互に位置する基端側の山２４および先端側の谷２６を備える。各屈曲部２８は、屈曲部２８がコネクタストラット２０に接続するか否かによって、接続屈曲部５８または非接続屈曲部５５を備える。同様に、基端側の山２４は、接続された基端側の山６４または非接続の基端側の山７４を備え、先端側の谷２６は、接続された先端側の谷６６または非接続の先端側の谷７６を備える。
【００６３】
いくつかの実施形態において、ステント１０は第１部分４６および第２部分４８を備える。各部分４６，４８は、ステント１０の長さの一部を含むことができる。いくつかの実施形態において、第１部分４６に位置するコネクタ列４４は、第２部分４８に位置するコネクタ列４４よりも多くのコネクタストラット２０を備える。いくつかの実施形態において、第１部分４６に位置するコネクタ列４４は、第２部分４８に位置するコネクタ列４４の２倍のコネクタストラット２０を備える。いくつかの実施形態において、第１部分４６に位置する各コネクタ列４４は、第２部分４８に位置する各コネクタ列４４よりも多くのコネクタストラット２０を備える。
【００６４】
いくつかの実施形態において、第１部分４６は少なくとも二つのコネクタ列４４を含む。いくつかの実施形態において、第１部分４６は少なくとも三つのコネクタ列４４を含む。
【００６５】
いくつかの実施形態では、第２部分４８は第１部分４６よりも多くのコネクタ列４４を含む。いくつかの実施形態では、第２部分４８は、第１部分４６の少なくとも２倍のコネクタ列４４を含む。いくつかの実施形態では、第２部分４８は、第１部分４６の少なくとも３倍のコネクタ列４４を含む。
【００６６】
いくつかの実施形態において、蛇行バンド１６を横断すると、第２部分４８は、接続屈曲部５８の間に延びる三つのバンドストラット２２と、次いで五つのバンドストラット２２との反復パターン（３，５、３，５、３，５）を含む少なくとも一つの蛇行バンド１６とを備える。したがって、図１１および第１蛇行バンド１６ａを参照すると、第１接続屈曲部５８ａから出発して、蛇行バンド１６ａを横断すると、蛇行バンド１６ａは、第１接続屈曲部５８ａと第２接続屈曲部５８ｂとの間に三つのバンドストラット２２を備えることができ、ここで、第１および第２接続屈曲部５８ａ，５８ｂは蛇行バンド１６ａ内において「隣接する」接続屈曲部５８と見なすことができる。蛇行バンド１６ａはさらに、第２接続屈曲部５８ｂと第３接続屈曲部５８ｃとの間に五つのバンドストラット２２を備える。次いで、前記パターンは、第３接続屈曲部５８ｃと第４接続屈曲部５８ｄとの間の三つのバンドストラット２２などによって、反復する。
【００６７】
いくつかの実施形態において、第２部分４８は、隣接する接続屈曲部５８の間に延びる三つのバンドストラット２２と、次いで五つのバンドストラット２２との反復パターンを有する複数の蛇行バンド１６を備える。いくつかの実施形態では、第２部分４８は少なくとも四つ、六つ、八つまたはそれ以上のそのような蛇行バンド１６を備える。
【００６８】
蛇行バンド１６は、該蛇行バンド１６を横断するとき、同様に接続屈曲部５８の間に延びる二つの非接続屈曲部５５と、次いで四つの非接続屈曲部５５との反復パターン（２，４、２，４、２，４）を含む。したがって、蛇行バンド１６ａを横断すると、第１蛇行バンド１６ａは、第１接続屈曲部５８ａと第２接続屈曲部５８ｂとの間に二つの非接続屈曲部５５を備える。蛇行バンド１６ａはさらに、第２接続屈曲部５８ｂと第３接続屈曲部５８ｃとの間に四つの非接続屈曲部５５を備える。次いで、前記パターンは、第３接続屈曲部５８ｃと第４接続屈曲部５８ｄとの間の二つ非接続屈曲部５５などによって、反復する。
【００６９】
いくつかの実施形態において、第１部分４６は、蛇行バンド１６を横断するときに、接続屈曲部５８の間に延びる三つのバンドストラット２２と、次いで一つのバンドストラット２２との反復パターン（３，１、３，１、３，１）を含む少なくとも一つの蛇行バンド１６を備える。したがって、第２蛇行バンド１６ｂは、第１接続屈曲部５８ｅと第２接続屈曲部５８ｆとの間に三つのバンドストラット２２を備えることができ、さらに第２接続屈曲部５８ｆと第３接続屈曲部５８ｇとの間に一つのバンドストラット２２を備える。次いで、前記パターンは、第３接続屈曲部５８ｇと次の接続屈曲部５８との間の三つのバンドストラット２２などによって、反復する。
【００７０】
いくつかの実施形態において、第１部分４６は、隣接する接続屈曲部５８の間に延びる三つのバンドストラット２２と、次いで一つのバンドストラット２２との反復パターンを有する複数の蛇行バンド１６を備える。いくつかの実施形態において、第１部分４６は少なくとも二つ、三つ、またはそれ以上のそのような蛇行バンド１６を備える。
【００７１】
蛇行バンド１６は、該蛇行バンド１６を横断するときに、同様に接続屈曲部５８の間に延びる二つの非接続屈曲部５５と、次いで０個の非接続屈曲部５５との反復パターン（２，０、２，０、２，０）を含む。したがって、蛇行バンド１６ｂを横断するとき、第２蛇行バンド１６ｂは、第１接続屈曲部５８ｅと第２接続屈曲部５８ｆとの間に二つの非接続屈曲部５５を備える。蛇行バンド１６ｂはさらに、第２接続屈曲部５８ｆと第３接続屈曲部５８ｇとの間に０個の非接続屈曲部５５を備える。次いで、前記パターンは、第３接続屈曲部５８ｇと次の接続屈曲部５８との間の二つ非接続屈曲部５５などによって、反復する。このパターンは、蛇行バンド１６ｂを横断するときの、二つの接続屈曲部５８と、次いで二つの非接続屈曲部５５との反復パターンともいえる。
【００７２】
いくつかの実施形態において、ステント１０は、蛇行バンド１６を横断するときに、接続屈曲部５８の間に延びる四つのバンドストラット２２と、次いで三つのバンドストラット２２と、次いで一つのバンドストラットとの反復パターン（４，３，１、４，３，１、４，３，１）を含む少なくとも一つの蛇行バンド１６をさらに備える。したがって、第３蛇行バンド１６ｃは、第１接続屈曲部５８ｈと第２接続屈曲部５８ｉとの間に四つのバンドストラット２２を備え、第２接続屈曲部５８ｉと第３接続屈曲部５８ｊとの間に三つのバンドストラット２２を備え、第３接続屈曲部５８ｊと第４接続屈曲部５８ｋとの間に一つのバンドストラット２２を備える。次いで、前記パターンは、第４接続屈曲部５８ｋと次の接続屈曲部５８との間の四つのバンドストラット２２などによって、反復する。いくつかの実施形態では、そのような蛇行バンド１６ｃは、ステント１０の第１部分４６と第２部分４８との間の移行バンドを構成する。
【００７３】
蛇行バンド１６ｃは、同様に、該蛇行バンド１６ｃを横断するとき、接続屈曲部５８の間に延びる三つの非接続屈曲部５５と、次いで二つの非接続屈曲部５５と、次いで０個の非接続屈曲部５５との反復パターン（３，２，０、３，２，０、３，２，０）を含む。したがって、蛇行バンド１６ｃ横断するとき、第３蛇行バンド１６ｃは、第１接続屈曲部５８ｈと第２接続屈曲部５８ｉとの間に三つの非接続屈曲部５５を備える。蛇行バンド１６ｃはさらに、第２接続屈曲部５８ｉと第３接続屈曲部５８ｊとの間に二つの非接続屈曲部５５を備え、第３接続屈曲部５８ｊと第４接続屈曲部５８ｋとの間に０個の非接続屈曲部５５を備える。次いで、前記パターンは、第４接続屈曲部５８ｋと次の接続屈曲部５８との間の三つ非接続屈曲部５５などによって、反復する。このパターンは、蛇行バンド１６ｃを横断するときの、二つの接続屈曲部５８と、三つの非接続屈曲部５５と、一つの接続屈曲部５８と、次いで二つの非接続屈曲部５５との反復パターンともいえる。
【００７４】
蛇行バンド１６は、第１型の蛇行バンド８５と、第２型の蛇行バンド８９とを備える。いくつかの実施形態において、各第１型の蛇行バンド８５は、各バンド８５の類似部分がステント１０の長さに沿って整列するように、互いに整合されている。例えば、第１型の蛇行バンド８５の基端側の山２４は、ステントの長手方向軸線１１に平行な方向において、別の第１型の蛇行バンド８５の基端側の山２４と整合される。各第２型の蛇行バンド８９は、各バンド８９の類似部分がステント１０の長さに沿って整列するように、互いに整合されている。例えば、第２型の蛇行バンド８９の基端側の山２４は、ステントの長手方向軸線１１に平行な方向において、別の第２型の蛇行バンド８９の基端側の山２４と整合される。各第１型の蛇行バンド８５は、異なる型のバンド８５，８９の類似部分がステントの長さに沿って整合しないように、各第２型の蛇行バンド８９から偏倚される。第１型の蛇行バンド８５の基端側の山２４はさらに、ステントの長手方向軸線１１に平行な方向において、第２型の蛇行バンド８９の先端側の谷２６と整合される。
【００７５】
いくつかの実施形態において、第１型の蛇行バンド８５と第２型の蛇行バンド８９とは、ステント１０の長さに沿って交互に位置する。
図１２は、ステント１０の別の実施形態にための平面パターンを示している。図１２のパターンは、例えば、同一の参照符号によって示される、図１１のパターンに類似した多くの特徴を有する。
【００７６】
いくつかの実施形態において、ステント１０は第１部分４６、第２部分４８、および第３部分５０を備える。各部分４６，４８，５０は、ステント１０の長さの一部を含むことができる。いくつかの実施形態において、第１部分４６または第３部分５０に位置するコネクタ列４４は、第２部分４８に位置するコネクタ列４４よりも多くのコネクタストラット２０を備える。いくつかの実施形態において、第１部分４６または第３部分５０に位置するコネクタ列４４は、第２部分４８に位置するコネクタ列４４の２倍のコネクタストラット２０を備える。いくつかの実施形態において、第１部分４６または第３部分に位置する各コネクタ列４４は、第２部分４８に位置する各コネクタ列４４よりも多くのコネクタストラット２０を備える。いくつかの実施形態において、第３部分５０に位置するコネクタ列４４は、第１部分４６に位置するコネクタ列４４と同数のコネクタストラット２０を備える。いくつかの実施形態において、第１部分４６および第３部分５０は異なる数のコネクタを備えたコネクタ列４４を有する。
【００７７】
いくつかの実施形態において、第３部分５０は少なくとも二つのコネクタ列４４を含む。いくつかの実施形態において、第３部分５０は少なくとも三つのコネクタ列４４を含む。
【００７８】
いくつかの実施形態では、第２部分４８は第１部分４６または第３部分よりも多くのコネクタ列４４を含む。いくつかの実施形態では、第２部分４８は、第１部分４６または第３部分５０の少なくとも２倍のコネクタ列４４を含む。いくつかの実施形態では、第２部分４８は、第１部分４６と第３部分５０とを合わせたよりも多くのコネクタ列４４を含む。
【００７９】
いくつかの実施形態において、第３部分５０は、蛇行バンド１６を横断するときに、接続屈曲部５８の間に延びる三つのバンドストラット２２と次いで一つのバンドストラット２２との反復パターン（３，１、３，１、３，１）を含む少なくとも一つの蛇行バンド１６を備える。
【００８０】
いくつかの実施形態において、第３部分５０は、隣接する接続屈曲部５８の間に延びる三つのバンドストラット２２と、次いで一つのバンドストラット２２との反復パターンを有する複数の蛇行バンド１６を備える。いくつかの実施形態において、第３部分５０は少なくとも二つ、または三つまたはそれ以上のそのような蛇行バンド１６を備える。
【００８１】
蛇行バンド１６は、該蛇行バンド１６を横断するとき、同様に接続屈曲部５８の間に延びる二つの非接続屈曲部５５と、次いで０個の非接続屈曲部５５との反復パターン（２，０、２，０、２，０）を含む。
【００８２】
いくつかの実施形態において、ステント１０は、蛇行バンド１６を横断するときに、接続屈曲部５８の間に延びる四つのバンドストラット２２と、次いで三つのバンドストラット２２と、次いで一つのバンドストラット２２との反復パターン（４，３，１、４，３，１、４，３，１）を含む少なくとも一つの蛇行バンド１６を備える。例えば、図１２は、第１領域４６と第２領域４８との間の移行部に配置された一つのそのようなバンドを１６ｃと、第２領域４８と第３領域５０との間の移行部に配置されたもう一つのそのようなバンド１６ｄを示している。さらに、バンド１６ｃとバンド１６ｄとは異なる向きを有する。例えば、バンド１６ｃは、ある周方向（例えば、図１２において下方）に延びる反復パターンを備えた第２型のバンド８９を備え、一方、バンド１６ｄは、異なる周方向（例えば、図１２において上向）に延びる反復パターンを有する第１型のバンド８５を備える。
【００８３】
蛇行バンド１６ｃ，１６ｄは、該蛇行バンド１６ｃを横断するとき、同様に接続屈曲部５８の間に延びる三つの非接続屈曲部５５と、次いで二つの非接続屈曲部５５と、次いで０個の非接続屈曲部５５との反復パターン（３，２，０、３，２，０、３，２，０）を含む。
【００８４】
図１３は、基端１３、先端１５、および複数の蛇行バンド１６を有するステント１０の別の実施形態の平面パターンを示している。
隣接する蛇行バンド１６は、コネクタ列４４を越えて、複数のコネクタストラット２０によって接続されている。
【００８５】
蛇行バンド１６の屈曲部２８は、交互に位置する基端側の山２４および先端側の谷２６を備える。各屈曲部２８は、屈曲部２８がコネクタストラット２０に接続するか否かによって、接続屈曲部５８または非接続屈曲部５５を備える。同様に、基端側の山２４は、接続された基端側の山６４または非接続の基端側の山７４を備え、先端側の谷２６は、接続された先端側の谷６６または非接続の先端側の谷７６を備える。
【００８６】
いくつかの実施形態において、ステント１０は第１部分４６および第２部分４８を備える。各部分４６，４８は、ステント１０の長さの一部を含むことができる。いくつかの実施形態において、第１部分４６に位置するコネクタ列４４は、第２部分４８に位置するコネクタ列４４よりも多くのコネクタストラット２０を備える。いくつかの実施形態において、第１部分４６に位置するコネクタ列４４は、第２部分４８に位置するコネクタ列４４の少なくとも１．５倍のコネクタストラット２０を備える。いくつかの実施形態において、第１部分４６に位置する各コネクタ列４４は、第２部分４８に位置する各コネクタ列４４よりも多くのコネクタストラット２０を備える。
【００８７】
いくつかの実施形態において、第１部分４６は少なくとも二つのコネクタ列４４を含む。いくつかの実施形態において、第１部分４６は少なくとも三つのコネクタ列４４を含む。
【００８８】
いくつかの実施形態では、第２部分４８は、第１部分４６よりも多くのコネクタ列４４を含む。いくつかの実施形態では、第２部分４８は、第１部分４６の少なくとも２倍のコネクタ列４４を備える。
【００８９】
いくつかの実施形態において、第２部分４８は、蛇行バンド１６を横断するときに、接続屈曲部５８の間に延びる三つのバンドストラット２２の反復パターン（３、３、３、３）を含む少なくとも一つの蛇行バンド１６を備える。したがって図１３および第１蛇行バンド１６ａを参照すると、第１接続屈曲部５８ａから出発して、蛇行バンド１６ａを横断すると、蛇行バンド１６ａは、第１接続屈曲部５８ａと第２接続屈曲部５８ｂとの間に三つのバンドストラット２２を備えることができ、ここで、第１および第２接続屈曲部５８ａ，５８ｂは、蛇行バンド１６ａ内において「隣接する」接続屈曲部５８と見なすことができる。蛇行バンド１６ａはさらに、第２接続屈曲部５８ｂと第３接続屈曲部５８ｃとの間に三つのバンドストラット２２を、次いで、第３接続屈曲部５８ｃと次の接続屈曲部５８との間に三つのバンドストラット２２などを備える。
【００９０】
いくつかの実施形態において、第２部分４８は、隣接する接続屈曲部５８の間に延びる三つのバンドストラット２２の反復パターンを有する複数の蛇行バンド１６を備える。いくつかの実施形態において、第２部分４８は、少なくとも二つ、四つ、または六つ、またはそれ以上のそのような蛇行バンド１６ａを備える。
【００９１】
蛇行バンド１６は、該蛇行バンド１６を横断するとき、同様に接続屈曲部５８の間に延びる二つの非接続屈曲部５５の反復パターン（２、２、２、２）を含みる。したがって、第１蛇行バンド１６ａは、第１接続屈曲部５８ａと第２接続屈曲部５８ｂとの間に二つの非接続屈曲部５５を、次いで第２接続屈曲部５８ｂと第３接続屈曲部５８ｃとの間に二つの非接続屈曲部５５などを備える。
【００９２】
いくつかの実施形態において、第１部分４６は、蛇行バンド１６を横断するときに、接続屈曲部５８の間に延びる三つのバンドストラット２２と、次いで一つのバンドストラット２２との反復パターン（３，１、３，１、３，１）を含む少なくとも一つの蛇行バンド１６を備える。よって、第２蛇行バンド１６ｂは、第１接続屈曲部５８ｅと第２接続屈曲部５８ｆとの間に三つのバンドストラット２２を備え、さらに、第２接続屈曲部５８ｆと第３接続屈曲部５８ｇとの間に一つのバンドストラット２２を備える。次いで、前記パターンは、第３接続屈曲部５８ｇと次の接続屈曲部５８との間の三つバンドストラット２２などによって、反復する。
【００９３】
いくつかの実施形態において、第１部分４６は、隣接する接続屈曲部５８の間に延びる三つのバンドストラット２２と、次いで一つのバンドストラット２２との反復パターンを有する複数の蛇行バンド１６を備える。いくつかの実施形態において、第１部分４６は少なくとも二つ、または三つまたはそれ以上のそのような蛇行バンド１６を備える。
【００９４】
蛇行バンド１６は、該蛇行バンド１６を横断するとき、同様に接続屈曲部５８の間に延びる二つの非接続屈曲部５５と、次いで０個の非接続屈曲部５５との反復パターン（２，０、２，０、２，０）を含む。したがって、蛇行バンド１６ｂを横断するとき、第１蛇行バンド１６ｂは、第１接続屈曲部５８ｅと第２接続屈曲部５８ｆとの間に二つの非接続屈曲部５５を備える。蛇行バンド１６ｂはさらに、第２接続屈曲部５８ｆと第３接続屈曲部５８ｇとの間に０個の非接続屈曲部５５を備える。次いで、前記パターンは、第３接続屈曲部５８ｇと次の接続屈曲部５８との間の二つ非接続屈曲部５５などによって、反復する。このパターンは、蛇行バンド１６ｂを横断するときの、二つの接続屈曲部５８と二つの非接続屈曲部５５との反復パターンともいえる。
【００９５】
いくつかの実施形態において、ステント１０は、蛇行バンド１６を横断するときに、接続屈曲部５８の間に延びる三つのバンドストラット２２と、次いで一つのバンドストラット２２と、次いで四つのバンドストラット２２と、次いで一つのバンドストラット２２と、次いで三つのバンドストラット２２との反復パターン（３，１，４，１，３、３，１，４，１，３）を含む少なくとも一つの蛇行バンド１６を備える。したがって、第３蛇行バンド１６ｆは、第１接続屈曲部５８ｈと第２接続屈曲部５８ｉとの間に三つのバンドストラット２２と、第２接続屈曲部５８ｉと第３接続屈曲部５８ｊとの間に一つのバンドストラット２２と、第３接続屈曲部５８ｊと第４接続屈曲部５８ｋとの間に四つのバンドストラット２２と、第４接続屈曲部５８ｋと第５接続屈曲部５８ｌとの間に一つのバンドストラット２２と、第５接続屈曲部５８ｌと第６接続屈曲部５８ｍとの間に三つのバンドストラット２２と備える。次いで、前記パターンは、第６接続屈曲部５８ｍと次の接続屈曲部５８との間の三つ非接続屈曲部５５などによって、反復する。いくつかの実施形態において、そのような蛇行バンド１６ｆは、ステント１０の第１部分４６と第２部分４８との間の移行バンドを構成する。
【００９６】
蛇行バンド１６ｆは、同様に、蛇行バンド１６ｆを横断するとき、接続屈曲部５８の間に延びる二つの非接続屈曲部５５と、次いで０個の非接続屈曲部５５と、次いで三つの非接続屈曲部５５と、次いで０個の接続屈曲部５５と、次いで二つの非接続屈曲部５５との反復パターン（２，０，３，０，２、２，０，３，０，２）を含むことができる。
【００９７】
したがって、蛇行バンド１６ｆを横断するとき、第１蛇行バンド１６ｆは、第１接続屈曲部５８ｈと第２接続屈曲部５８ｉとの間に二つの非接続屈曲部５５を備える。蛇行バンド１６ｆはさらに、第２接続屈曲部５８ｉと第３接続屈曲部５８ｊとの間に０個の非接続屈曲部５５と、第３接続屈曲部５８ｊと第４接続屈曲部５８ｋとの間に三つの非接続屈曲部５５と、第４接続屈曲部５８ｋと第５接続屈曲部５８ｌとの間に０個の非接続屈曲部５５と、第５接続屈曲部５８ｌと第６接続屈曲部５８ｍとの間に二つの非接続屈曲部５５とを備える。次いで、前記パターンは、第６接続屈曲部５８ｍと次の接続屈曲部５８との間の二つ非接続屈曲部５５などによって、反復する。このパターンはまた、蛇行バンド１６ｆを横断するときの、二つの非接続屈曲部５５と、二つの接続屈曲部５８と、三つの非接続屈曲部５５と、二つの接続屈曲部５８と、二つの非接続屈曲部５５と、次いで一つの接続屈曲部５８との反復パターンとも言える。
【００９８】
蛇行バンド１６は、第１型の蛇行バンド８５および第２型の蛇行バンド８９を備える。いくつかの実施形態において、各第１型の蛇行バンド８５は、各バンド８５の類似部分がステント１０の長さに沿って整列するように、互いに整合されている。例えば、第１型の蛇行バンド８５の基端側の山２４は、ステントの長手方向軸線１１に平行な方向において、別の第１型の蛇行バンド８５の基端側の山２４と整合される。各第２型の蛇行バンド８９は、各バンド８９の類似部分がステント１０の長さに沿って整列するように、互いに整合されている。例えば、第２型の蛇行バンド８９の基端側の山２４は、ステントの長手方向軸線１１に平行な方向において、別の第２型の蛇行バンド８９の基端側の山２４と整合される。各第１型の蛇行バンド８５は、異なる型のバンド８５，８９の類似部分が、ステントの長さに沿って整列しないように、各第２型の蛇行バンド８９から偏倚される。第１型の蛇行バンド８５の基端側の山２４はさらに、ステントの長手方向軸線１１に平行な方向において、第２型の蛇行バンド８９の先端側の谷２６と整合される。
【００９９】
いくつかの実施形態において、第１型の蛇行バンド８５と第２型の蛇行バンド８９とは、ステント１０の長さに沿って交互に位置する。
図１４は、ステント１０の別の実施形態にための平面パターンを示している。図１４のパターンは、例えば同一の参照符号によって示される、図１３のパターンに類似した多くの特徴を有する。
【０１００】
いくつかの実施形態において、ステント１０は第１部分４６、第２部分４８、および第３部分５０を備える。各部分４６，４８，５０は、ステント１０の長さの一部を含むことができる。いくつかの実施形態において、第１部分４６または第３部分５０に位置するコネクタ列４４は、第２部分４８に位置するコネクタ列４４よりも多くのコネクタストラット２０を備える。いくつかの実施形態において、第１部分４６または第３部分５０に位置するコネクタ列４４は、第２部分４８に位置するコネクタ列４４の２倍のコネクタストラット２０を備える。いくつかの実施形態において、第１部分４６または第３部分に位置する各コネクタ列４４は、第２部分４８に位置する各コネクタ列４４よりも多くのコネクタストラット２０を備える。いくつかの実施形態において、第３部分５０に位置するコネクタ列４４は、第１部分４６に位置するコネクタ列４４と同数のコネクタストラット２０を備える。いくつかの実施形態において、第１部分４６および第３部分５０は異なる数の接続部を備えたコネクタ列４４を有する。
【０１０１】
いくつかの実施形態において、第３部分５０は少なくとも二つのコネクタ列４４を含む。いくつかの実施形態において、第３部分５０は少なくとも三つのコネクタ列４４を含む。
【０１０２】
いくつかの実施形態では、第２部分４８は、第１部分４６または第３部分よりも多くのコネクタ列４４を含む。いくつかの実施形態では、第２部分４８は、第１部分４６または第３部分５０の少なくとも２倍のコネクタ列４４を含む。いくつかの実施形態では、第２部分４８は、第１部分４６と第３部分５０とを合わせたよりも多くのコネクタ列４４を含む。
【０１０３】
いくつかの実施形態において、第３部分５０は、蛇行バンド１６を横断するときに、接続屈曲部５８の間に延びる三つのバンドストラット２２と、次いで一つのバンドストラット２２との反復パターン（３，１、３，１、３，１）を含む少なくとも一つの蛇行バンド１６を備える。
【０１０４】
いくつかの実施形態において、第３部分５０は、隣接する接続屈曲部５８の間に延びる三つのバンドストラット２２と、次いで一つのバンドストラット２２との反復パターンを有する複数の蛇行バンド１６を備える。いくつかの実施形態において、第３部分５０は少なくとも二つ、または三つまたはそれ以上のそのような蛇行バンド１６を備える。
【０１０５】
蛇行バンド１６は、該蛇行バンド１６を横断するとき、同様に接続屈曲部５８の間に延びる二つの非接続屈曲部５５と、次いで０個の非接続屈曲部５５との反復パターン（２，０、２，０、２，０）を含む。
【０１０６】
いくつかの実施形態において、ステント１０は、さらに、蛇行バンド１６を横断するときに、接続屈曲部５８の間に延びる三つのバンドストラット２２と、次いで一つのバンドストラット２２と、次いで四つのバンドストラット２２と、次いで一つのバンドストラット２２と、次いで三つのバンドストラット２２との反復パターン（３，１，４，１，３、３，１，４，１，３）を含む一つ以上の蛇行バンド１６を備える。例えば、図１４は、第１領域４６と第２領域４８との間の移行部に配置された一つのそのようなバンド１６ｆと、第２領域４８と第３領域５０との間の移行部に配置されたもう一つのそのようなバンド１６ｇを示している。さらに、バンド１６ｆおよびバンド１６ｇは異なる向き有する。例えば、バンド１６ｆは第２型のバンド８９を備え、一方、バンド１６ｇは第１型のバンド８５を備える。
【０１０７】
蛇行バンド１６ｆ，１６ｇは、同様に、蛇行バンド１６ｆ，１６ｇを横断するときに、接続屈曲部５８の間に延びる二つの非接続屈曲部５５と、次いで０個の非接続屈曲部５５と、次いで三つの非接続屈曲部５５と、次いで０個の接続屈曲部５５と、次いで二つの非接続屈曲部５５との反復パターン（２，０，３，０，２、２，０，３，０，２）を含むことができる。
【０１０８】
本発明のステントは、１種以上のポリマー、１種以上の金属、またはポリマーと金属の組み合わせを含む任意の適切な生体適合性材料から製造される。適切な材料の例としては、生体適合性でもある生分解性材料が挙げられる。いくつかの実施形態において、ステントは、有害な作用を有することなく、体内で溶解、解離、さもなければ分解するように腐食しやすい一つ以上の金属、ポリマーまたはそれらの組み合わせから構成された一つ以上の成分を有する。そのような材料の例は、分解性、生分解性、生物学的に分解可能、侵食可能、生体吸収性、生体再吸収性などと称されている。生物分解性材料は、一般に、通常の生物学的過程の一部として、無害な化合物への崩壊または分解を受けるであろう。適切な生分解性材料としては、ポリ乳酸、ポリグリコール酸（ＰＧＡ）、コラーゲンまたは他の結合タンパク質もしくは天然物質、ポリカプロラクトン、ヒルアウリン酸（hylauric acid)、接着性タンパク質、これらの物質のコポリマー、並びに、それらの複合体、組み合わせ、および他の生分解性ポリマーの組み合わせが挙げられる。使用される他のポリマーとしては、ポリエステルおよびポリカーボネートのコポリマーが挙げられる。適切な金属の例としては、ステンレス鋼、チタン、タンタル、白金、タングステン、金、および前述の金属のうちのいずれかの合金が挙げられるが、これらに限定されるものではない。適切な合金の例としては、白金‐イリジウム合金、エルジロイ(Elgiloy)およびフィノックス(Phynox)を含むコバルト−クロム合金、ＭＰ３５Ｎ合金、および例えばニチノールのようなニッケル−チタン合金が挙げられる。マグネシウム合金および亜鉛合金のような生分解性合金のいくつかのさらなる例は、米国特許第ＵＳ６，８５４，１７２号明細書および米国特許出願第ＵＳ２００６／００５２８６４号明細書に開示されている。前記特許文献の全容は、これにより、参照によって本願に援用される。
【０１０９】
本発明のステントは、超弾性ニチノールまたはばね鋼のような形状記憶材料から製造されてもよいし、または塑性変形可能な材料から製造されてもよい。形状記憶材料の場合には、ステントは、記憶形状を与えられ、次いで、縮径形状に変形される。前記ステントは、該ステントを遷移温度に加熱し、該ステントからあらゆる拘束を除去すると、ステント自身を記憶形状に復帰させる。
【０１１０】
本発明のステントは、管状材料から、切断またはエッチングの後に丸められる平坦なシートから、または１本以上の織り込まれたワイヤーまたは編組から、図案を切断またはエッチングすることを含む方法によって生成される。また、本願に開示した本発明のステントを製造するために、当業において公知であるか、または後に開発される他の適切な技術を用いてもよい。
【０１１１】
一部の実施形態において、ステント、デリバリーシステム、またはアセンブリの他の一部は、Ｘ線、ＭＲＩ、超音波などのような画像診断療法によって検出可能である一つ以上の領域、バンド、コーティング、部材等を備えてもよい。一部の実施形態において、ステントおよび隣接するアセンブリの少なくとも一つの少なくとも一部は、少なくとも部分的に放射線不透過性である。
【０１１２】
一部の実施形態において、ステントの少なくとも一部は、治療薬の送達のための一つ以上の機構を備えるように構成される。多くの場合、薬剤は、ステントの表面領域に配置される物質のコーティングまたは他の層の形態にあるであろう。前記物質のコーティングまたは層は、ステントの埋め込み部位またはその部位に隣接する領域において放出されるように適合されている。
【０１１３】
治療薬は、非遺伝子薬、遺伝子薬、細胞物質などのような薬剤または他の医薬品であってもよい。適切な非遺伝子治療薬の一部の例としては、ヘパリン、ヘパリン誘導体、脈管細胞増殖促進剤、増殖因子阻害物質、パクリタキセルなどのような抗血栓薬が挙げられるが、これらに限定されるものではない。他のいくつかの治療薬の例としては、エベロリムスおよびシロリムス、並びにそれらの類似体およびコンジュゲートが挙げられる。薬剤が遺伝子治療薬を含む場合、そのような遺伝子薬は、ＤＮＡ、ＲＮＡ、およびそれらの各誘導体および各成分の少なくとも何れか一つ、並びにヘッジホッグタンパク質などを含んでもよいが、これらに限定されるものではない。治療薬が細胞物質を含む場合、その細胞物質としては、ヒト由来および非ヒト由来の細胞の少なくとも一つ、並びにそれらの各成分および各誘導体の少なくとも一つが挙げられるが、これらに限定されるものではない。治療薬がポリマー剤を含む場合、ポリマー剤は、ポリスチレン−ポリイソブチレン−ポリスチレントリブロックコポリマー（ＳＩＢＳ）、ポリエチレンオキシド、シリコーンゴムおよび他の適切な基材の少なくとも一つであってもよい。
【０１１４】
上記の開示は、例示であり、網羅的なものではないことが意図される。
本記載は、当業者に多くの変形例および別例を示唆するであろう。個々の図面に示し、上記で説明した様々な要素は、所望により、組み合わされてもよく、また、組み合わせるために変更されてもよい。これらの別例および変形例はすべて、特許請求の範囲内に含まれるものとする。特許請求の範囲においては、「備える」という用語は「含むが、それに限定されるものではない」ことを意味する。」
さらに、従属請求項に示された特定の特徴は、本発明が従属請求項の特徴の他の可能な組み合わせを有する他の実施形態にも本質的に関するものと認識されるように、本発明の範囲内において他の方法で互いに組み合わせることができる。例えば、請求項を公開する目的のために、管轄内において多数項従属形式が認められる形式である場合には、従属する任意の従属請求項は、そのような従属請求項に引用されるすべての既述事項を有する全ての先行請求項に対する多数項従属形式に書き換えられるものと解釈されるべきである。（例えば、請求項１に直接従属する各請求項は、代わりに、すべての先行請求項に従属するものと解釈されるべきである）。多数項従属クレーム形式が制限される管轄においては、後続の従属請求項は、それぞれ、以下のそのような従属請求項において列記される特定の請求項以外の、先行の既述事項を有する請求項への従属を形成する単一項従属クレーム形式に書き換えられるものと解釈されるべきである。これで、本発明の説明を完結する。当業者は、その均等物が本願に添付された特許請求の範囲によって包含されることが意図される、本願に記載した特定の実施形態に対する他の均等物を認識する。
【図１】
2010534088.tif 000003
【図２】
2010534088.tif 000004
【図３】
2010534088.tif 000005
【図４】
2010534088.tif 000006
【図５】
2010534088.tif 000007
【図６】
2010534088.tif 000008
【図７】
2010534088.tif 000009
【図８】
2010534088.tif 000010
【図９】
2010534088.tif 000011
【図１０】
2010534088.tif 000012
【図１１】
2010534088.tif 000013
【図１２】
2010534088.tif 000014
【図１３】
2010534088.tif 000015
【図１４】
2010534088.tif 000016
【国際調査報告】
2010534088.tif 000017
2010534088.tif 000018
2010534088.tif 000019